(57)【要約】【課題】ガスエンジンの排気ガス凝縮水にドレンケース内で中和剤を混合する排気ドレン中和装置を備えたものにおいて、構造が簡単且つ装置コストが低廉で、排気ガス凝縮水と中和剤との混合時間を長くして、排気ガス凝縮水と中和剤との混合効率を高めた排気ドレン中和装置を提供する。【解決手段】排気ドレン中和装置において、ドレンケース内を排気凝ガス凝縮水が流入するケース入口４に連通される第１室１ａと中和された排気ガス凝縮水を排出するケース出口５に連通される第２室１ｂとの２つの室に区画するとともに、第１室１ａと第２室１ｂとを仕切る仕切板６と、仕切板６の下部に穿孔されて第１室と第２室とを連通し且つ第１室及び第２室よりも通路面積が縮小された連通路７とを備え、さらに前記仕切板６の高さを前記ケース出口５よりも一定高さＬだけ高く設置したことを特徴とする。【選択図】図１
2010281212.tif 000002
【特許請求の範囲】
【請求項１】
ガスエンジンの排気ガス凝縮水にドレンケース内で中和剤を混合する排気ドレン中和装置において、
前記ドレンケース内を排気ガス凝縮水が流入するケース入口に連通される第１室と中和された排気ガス凝縮水を排出するケース出口に連通される第２室との２つの室に区画するとともに、前記ドレンケース内に鉛直方向に設置されて前記第１室と第２室とを仕切る仕切板と、前記仕切板の下部に穿孔されて前記第１室と第２室とを連通し且つ該第１室及び第２室よりも通路面積が縮小された連通路とを備え、さらに前記仕切板の高さを前記ケース出口よりも一定高さの分だけ高く設置したことを特徴とする排気ドレン中和装置。
【請求項２】
幅方向寸法において、前記仕切板に形成された前記連通路の幅（Ｂ３）が、前記第１室の幅（Ｂ１）及び第２室の幅（Ｂ２）よりも小さく構成されて、前記第１室の幅（Ｂ１）と第２室の幅（Ｂ２）との間にラビリンス構造を形成した幅（Ｂ３）に構成したことを特徴とする請求項１記載の排気ドレン中和装置。
【発明の詳細な説明】
【技術分野】
【０００１】
本発明は、ガスエンジンの排気ガス凝縮水にドレンケース内で中和剤を混合する排気ドレン中和装置に関する。
【背景技術】
【０００２】
ガスエンジンの排気ガス凝縮水に、ドレンケース内で、炭酸カルシウム等の中和剤を混合する排気ドレン中和装置の１つとして特許文献１（特開２００６−１１０５２７号公報）の技術が知られている。
【０００３】
特許文献１においては、図３に示すように凝縮水の導入口０３０及び排出口０３１を有し、０２は中和剤０１を混合する給湯装置の凝縮水中和器の容器であって、該凝縮水中和器は、水位検出用の電極０５を備えるとともに、容器０２内に、斜めに傾斜した複数の傾斜板０２６ａ、０２６ｂ、０２６ｃを中和剤０１中に並べ、該傾斜板０２６ａ、０２６ｂ、０２６ｃの間を、凝縮水を通すことにより、凝縮水と中和剤０１とを混合している。
【先行技術文献】
【特許文献】
【０００４】
【特許文献１】特開２００６−１１０５２７号
【発明の概要】
【発明が解決しようとする課題】
【０００５】
前記特許文献１の技術は給湯装置に関するもので、水位検出用の電極０５を備えるとともに、斜めに傾斜した複数の傾斜板０２６ａ、０２６ｂ、０２６ｃを容器０２内の中和剤０１中に並べ、該傾斜板の間に凝縮水を通すことにより凝縮水と中和剤０１とを混合している。
つまり、特許文献１の技術は、斜めに傾斜した複数の傾斜板０２６ａ、０２６ｂ、０２６ｃを容器０２内に並べ、該傾斜板の間をジグザグに凝縮水を通して、該凝縮水と中和剤０１との混合を行うという手段が示されているに止まっている。尚、かかる手段は容器０２内に傾斜板０２６ａ、０２６ｂ、０２６ｃを配設するため容器０２を成形する金型構造が複雑で装置コストが増大する。
【０００６】
本発明はかかる従来技術の課題に鑑み、ガスエンジンの排気ガス凝縮水にドレンケース内で中和剤を混合する中和装置において、構造が簡単且つ装置コストが低廉で、排気ガス凝縮水と中和剤との混合時間を長くして、排気ガス凝縮水と中和剤との混合効率を高めた排気ドレン中和装置を提供することを目的とする。
【課題を解決するための手段】
【０００７】
本発明はかかる目的を達成するもので、ガスエンジンの排気ガス凝縮水にドレンケース内で中和剤を混合する排気ドレン中和装置において、前記ドレンケース内を排気ガス凝縮水が流入するケース入口に連通される第１室と中和された排気ガス凝縮水を排出するケース出口に連通される第２室との２つの室に区画するとともに、前記ドレンケース内に鉛直方向に設置されて前記第１室と第２室とを仕切る仕切板と、前記仕切板の下部に穿孔されて前記第１室と第２室とを連通し且つ該第１室及び第２室よりも通路面積が縮小された連通路とを備え、さらに前記仕切板の高さを前記ケース出口よりも一定高さの分だけ高く設置したことを特徴とする。
【０００８】
また、本発明は、好ましくは、幅方向寸法において、前記仕切板に形成された前記連通路の幅（Ｂ３）が、前記第１室の幅（Ｂ１）及び第２室の幅（Ｂ２）よりも小さく構成されて、前記第１室の幅（Ｂ１）と第２室の幅（Ｂ２）との間にラビリンス構造を形成した幅（Ｂ３）に構成する。
【発明の効果】
【０００９】
本発明によれば、排気ガス凝縮水に炭酸カルシウム等の中和剤を混合する中和装置は、ドレンケース内を排気ガス凝縮水が流入するケース入口に連通される第１室と中和された排気ガス凝縮水を排出するケース出口に連通される第２室との２つの室に区画するとともに、前記ドレンケース内に鉛直方向に設置されて前記第１室と第２室とを仕切る仕切板と、前記仕切板の下部に穿孔されて前記第１室と第２室とを連通し且つ該第１室及び第２室よりも通路面積が縮小された連通路とを備え、さらに前記仕切板の高さを前記ケース出口よりも一定高さの分だけ高く設置した構成を備えているので、ケース入口に連通される第１室に投入された排気ガス凝縮水は、該第１室の中和剤内を通って第１室の中和剤と混合されて、第１室と第２室とを仕切る仕切板の下部に穿孔されて第１室と第２室とを連通する狭い連通路を通る。
この際に、排気ガス凝縮水は第１室及び第２室よりも通路面積が縮小された前記連通路のラビリンス構造によって流路を絞られて、かかる連通路から広い第２室に入る。
従って、排気ガス凝縮水は第１室内で中和剤との混合時間が十分に確保される。
【００１０】
第２室では再び排気ガス凝縮水と中和剤との混合が促進されて、中和された排気ガス凝縮水は、前記連通路より一定高さの分だけ高く且つ、前記仕切板の高さよりも一定高さの分だけ低く設置したケース出口に到達して排出される。
【００１１】
従って、前記ドレンケース内は、排気ガス凝縮水が流入するケース入口に連通される第１室、該第１室及び第２室よりも通路面積が縮小された連通路、前記連通路よりも一定高さ上部に設置した中和された排気ガス凝縮水を排出するケース出口を通ることによるラビリンス構造によって流路を絞られることにより、混合時間が長くなって中和が促進される。
【００１２】
また、前記仕切板の高さを前記ケース出口よりも一定高さの分だけ高く設置した構成を備えているので、凝縮水が仕切板を乗り越えて第２室に流れ込むことによる中和剤Ｃと混合せずに排出されることが防止される。
さらに、連通路が仕切板の下部に穿孔されているため、排気ガス凝縮水が排出されるケース出口が連通路よりも一定高さ上部に設置されるので排気ガス凝縮水は必ず第１室、第２室の順に中和剤と混合してから排出されるようになるため、中和剤と混合せずに排出されるのが防止される。
【００１３】
そして、本発明によれば、ドレンケース内をケース入口及びケース出口に連通される第１室と第２室の２つの室に区画し、該ドレンケース内に鉛直方向に設置され下部に連通路が穿孔された仕切板で２つの室を仕切るという、きわめて簡単な構造にすることによりブロー成形が容易な低コストで製造可能とし、前記の機能を備えた排気ドレン中和装置が得られる。
【００１４】
また、本発明によれば、前記仕切板の下部に形成された前記連通路の幅（Ｂ３）は、前記第１室の幅（Ｂ１）及び第２室の幅（Ｂ２）よりも小さく構成されて、前記第１室の幅（Ｂ１）と第２室の幅（Ｂ２）との間にラビリンス構造を形成した幅（Ｂ３）に構成したので、排気ガス凝縮水と中和剤との混合時間の延長が前記ラビリンス構造によって確実にできる。
【図面の簡単な説明】
【００１５】
【図１】本発明の実施例にかかるガスエンジン発電装置における、排気ガス凝縮水にドレンケース内で中和剤を混合する排気ドレン中和装置の正面断面図である。
【図２】図１のＡ―Ａ線断面図である。
【図３】従来技術を示す給湯装置の凝縮水中和器正面断面図である。
【発明を実施するための形態】
【００１６】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
【実施例】
【００１７】
図１において、ガスエンジン発電装置における、排気ガス凝縮水にドレンケース内で中和剤を混合する排気ドレン中和装置１００は、中空の樹脂体からなるドレンケース１を備えている。２はドレンケース１の上方のキャップ、３はドレンケース１を支える支持脚である。
該ドレンケース１は、略直方体の箱形状からなり、長手方向の一方側に排気ガス凝縮水が流入するケース入口４が上方に向けて固定され、他方側に中和された排気ガス凝縮水を排出するケース出口５が下方に向けて固定されている。また、排気ガスも排気ガス凝縮水とともに前記ケース入口４から流入してケース出口５から排出されるようになっている。さらに、前記ケース入口４に連通して第１室１ａが形成され、前記ケース出口５に連通して第２室１ｂが形成されている。第１室１ａ及び第２室１ｂは後述する仕切板６にて区画されている。
そして、第１室１ａ、および第２室１ｂには、それぞれ中和剤Ｃが充填されている。
【００１８】
前記排気ガス凝縮水が流入するケース入口４のドレンケース１内への開口部４ａの高さは、ドレンケース１内に排気ガス凝縮水が満水水位状態になった液面１ｓよりもＨ１だけ上部に開口している。
また、前記ケース出口５へのドレンケース１内からの開口部である出口通路１ｄの位置は、後述する連通路７の上縁から出口通路１ｄの下部まで一定の高さＨ２だけ、出口通路１ｄが上方に位置して、出口幅Ｈ４を形成している。
【００１９】
そして、第１室１ａと第２室１ｂとは、ドレンケース１内に鉛直方向に設置された仕切板６にて鉛直方向に仕切られて、ドレンケース１内は前記２つの室１ａ、１ｂに区画形成される。
更に、本実施例では、仕切板６は２つの室１ａ、１ｂが略同一容積になるようドレンケース１内の排気ガス凝縮水の流れる方向において略中央に配置されている。
これは排気ガス凝縮水が２つの室１ａ、１ｂ内での流れの速さを均一にして中和が確実に行われるとともに、中和剤Ｃの作用劣化時期も同一になるようにして、メンテナンスの煩雑さを防止している。
【００２０】
前記仕切板６は、図１に示すように、下部の幅を大きく上部の幅が小さい断面が台形形状をしており（必ずしも、台形形状でなくても良く、例えば断面が矩形形状でも良い）、該仕切板６の頂面７ａとドレンケース１の頂部板１ｅとの間に、高さＨ３なる通路１ｃが形成される。
また、前記仕切板６の頂面７ａは、液面１ｓよりもＬだけ上方に突出して、排気ガスのガス状成分が流れる通路１ｃを形成している。該排気ガスのガス状成分は中和された排気ガス凝縮水の排出と同様にケース出口５から排出される。
また、仕切板６の頂面７ａは、液面１ｓよりもＬだけ上方に突出しているので、すなわち、ケース出口５よりＬだけ高く設定されているので、排気ガス凝縮水が第１室１ａ内の中和剤Ｃと混合せずに排出されることが防止される。
【００２１】
前記仕切板６の下部には、前記第１室１ａと第２室１ｂとを連通し、且つ該第１室１ａ及び第２室１ｂよりも通路面積が縮小された連通路７が形成される。
前記連通路７は、図２に示すように、前記仕切板６の下部に形成され、該連通路７の幅Ｂ３は、前記第１室１ａの幅Ｂ１及び第２室１ｂの幅Ｂ２よりも小さく構成されて、前記第１室１ａの幅Ｂ１と第２室１ｂの幅Ｂ２との間に、幅Ｂ３なるラビリンス構造を形成している。
【００２２】
このように、仕切板６の下部に形成された連通路７の幅寸法Ｂ３を、前記第１室１ａの幅Ｂ１及び第２室１ｂの幅Ｂ２よりも小さく構成することにより、前記第１室１ａから仕切板６の下部に形成された連通路７にて、ケース入口４からケース出口５にかけて確実にラビリンス構造を形成でき、排気ガス凝縮水と中和剤との混合時間の延長が確実にできる。
【００２３】
かかる実施例においては、前記仕切板６の下部に穿孔されて中和剤Ｃに浸漬され前記第１室１ａと第２室１ｂとを連通し、且つ該第１室１ａ及び第２室１ｂよりも通路面積が縮小された連通路７とを備え、さらに前記ケース入口４をケース出口５よりもＨ１上部に設置し、前記ケース出口５を連通路７よりもＨ２だけ上部に設置し、さらに、仕切板６を前記ケース出口５よりもＬだけ上方に突出した構成を備えている。
このため、かかる実施例においては、ケース入口４から第１室１ａに投入された排気ガス凝縮水は、該第１室１ａの中和剤内を通って第１室１ａの中和剤Ｃと混合される。
【００２４】
そして、排気ガス凝縮水と中和剤Ｃとの混合した凝縮水は、さらに、第１室１ａと第２室１ｂとを仕切る仕切板６の下部に穿孔された狭い連通路７を通る。この際に、第１室１ａ及び第２室１ｂよりも通路面積が縮小された（幅Ｂ３）前記連通路７のラビリンス構造によって流路を絞られて、かかる連通路７から広い第２室１ｂに入る。
第２室１ｂでは、再び排気ガス凝縮水と中和剤Ｃとの混合が促進され、中和された排気ガス凝縮水は、前記連通路７よりも一定高さＨ２だけ上部に設置された出口通路１ｄに到達して、ケース出口５から排出される。
【００２５】
また、前記ケース入口４をケース出口５よりもＨ１上部に設置してあるため、排気ガス凝縮水がドレンケース１内から排気ガス凝縮水の流入口であるケース入口４側に逆流することが防止されて、確実に中和された排気ガス凝縮水がケース出口５より排出される。
さらに、前記したように仕切板６を前記中和された排気ガス凝縮水の排出口であるケース出口５よりもＬだけ上方に突出した構成を備えているので、排気ガス凝縮水が中和剤Ｃと混合せずに排出されることが防止される。すなわち、必ず第２室１ｂの下部の連通路７から一定高さＨ２だけ上部に設置された出口通路１ｄに向かって排気ガス凝縮水が流れるため、中和剤Ｃとの混合が確実に行われる。
【００２６】
以上のように、かかる実施例によれば、ドレンケース１内を排気ガス凝縮水が流入するケース入口４及び中和された排気ガス凝縮水が排出されるケース出口５に連通される第１室１ａと第２室１ｂとの２つの室に区画し、ドレンケース１内に鉛直方向に設置され下部の連通路７が穿孔された仕切板６で前記２つの室１ａ、１ｂを仕切るという、きわめて簡単で且つブロー成形による製作が容易な構造で、前記の機能を備えた排気ドレン中和装置１００が得られる。
【産業上の利用可能性】
【００２７】
本発明は、コンパクトかつ簡単な構造で、排気ガス凝縮水が中和剤と確実に混合し、混合時間を長くして、排気ガス凝縮水と中和剤との混合効率を高めた、ガスエンジンの排気ドレン中和装置に適用できる。
【符号の説明】
【００２８】
１  ドレンケース
１ａ  第１室
１ｂ  第２室
１ｄ  出口通路
１ｃ  通路
１ｅ  頂部板
１ｓ  液面
４    ケース入口
４ａ  開口部
５    ケース出口
６  仕切板
７  連通路  
７ａ  頂面
１００  排気ドレン中和装置
Ｂ３  連通路の幅
Ｃ    中和剤
【図１】
2010281212.tif 000003
【図２】
2010281212.tif 000004
【図３】
2010281212.tif 000005